(57)【要約】装置（２０）は、例えば、自動車、飛行機、携帯機器及び／又はその他の移動性構造体のようなモバイルユニットに緊急事態警報機能を提供する。実施例に従って、装置（２０）は、（ｉ）第１の場所情報を第２の場所情報に関連付ける場所データと、（ｉｉ）ユーザによって選択された少なくとも１つのイベント種類とを含むデータを記憶するよう動作するメモリ（３４）を有する。処理装置（３４）は、メモリ（３４）へ結合され、場所データにより現在の場所を決定し且つ緊急事態イベントを示す信号を処理するよう動作する。処理装置（３４）は、緊急事態イベントが現在の場所及びユーザによって選択された少なくとも１つのイベント種類に対応する場合に、警報出力を有効にする。
2009529181.tif 000002
【特許請求の範囲】
【請求項１】
緊急事態警報機能を提供する装置であって、
（ｉ）第１の場所情報を第２の場所情報に関連付ける場所データと、（ｉｉ）ユーザによって選択された少なくとも１つのイベント種類とを含むデータを記憶するメモリ手段と、
前記場所データにより現在の場所を決定し且つ緊急事態イベントを示す信号を処理する処理手段とを有し、
前記処理手段は、前記緊急事態イベントが前記現在の場所及び前記ユーザによって選択された少なくとも１つのイベント種類に対応する場合に、警報出力を有効にする、装置。
【請求項２】
前記第１の場所情報は３次元の場所座標を含み、
前記第２の場所情報はＦＩＰＳコードを含む、請求項１記載の装置。
【請求項３】
前記処理手段は、衛星信号に応答して場所座標を生成し、且つ、前記場所データを用いて、前記場所座標に対応する場所コードを特定し、
前記場所コードは、前記現在の場所を表す、請求項１記載の装置。
【請求項４】
前記場所座標は３次元で表され、
前記場所コードはＦＩＰＳコードである、請求項３記載の装置。
【請求項５】
モバイルユニットに含まれる請求項１記載の装置。
【請求項６】
緊急事態警報機能を装置に提供する方法であって、
（ｉ）第１の場所情報を第２の場所情報に関連付ける場所データと、（ｉｉ）ユーザによって選択された少なくとも１つのイベント種類とを含むデータをメモリに記憶する段階と、
前記場所データにより現在の場所を決定する段階と、
緊急事態イベントを示す信号を処理する段階と、
前記緊急事態イベントが前記現在の場所及び前記ユーザによって選択された少なくとも１つのイベント種類に対応する場合に、警報出力を有効にする段階と
を有する方法。
【請求項７】
前記第１の場所情報は３次元の場所座標を含み、
前記第２の場所情報はＦＩＰＳコードを含む、請求項６記載の方法。
【請求項８】
衛星信号に応答して場所座標を生成する段階と、
前記場所座標に対応する場所コードを特定するよう前記場所データを用いる段階とを有し、
前記場所コードは、前記現在の場所を表す、請求項６記載の方法。
【請求項９】
前記場所座標は３次元で表され、
前記場所コードはＦＩＰＳコードである、請求項８記載の方法。
【請求項１０】
前記装置はモバイルユニットに含まれる、請求項６記載の方法。
【請求項１１】
緊急事態警報機能を備えるテレビジョン信号受信機であって、
（ｉ）第１の場所情報を第２の場所情報に関連付ける場所データと、（ｉｉ）ユーザによって選択された少なくとも１つのイベント種類とを含むデータを記憶するよう動作するメモリと、
前記メモリへ結合され、前記場所データにより現在の場所を決定し且つ緊急事態イベントを示す信号を処理するよう動作する処理装置とを有し、
前記処理装置は、前記緊急事態イベントが前記現在の場所及び前記ユーザによって選択された少なくとも１つのイベント種類に対応する場合に、警報出力を有効にする、テレビジョン信号受信機。
【請求項１２】
前記第１の場所情報は３次元の場所座標を含み、
前記第２の場所情報はＦＩＰＳコードを含む、請求項１１記載のテレビジョン信号受信機。
【請求項１３】
前記処理装置は、衛星信号に応答して場所座標を生成し、且つ、前記場所データを用いて、前記場所座標に対応する場所コードを特定し、
前記場所コードは、前記現在の場所を表す、請求項１１記載のテレビジョン信号受信機。
【請求項１４】
前記場所座標は３次元で表され、
前記場所コードはＦＩＰＳコードである、請求項１３記載のテレビジョン信号受信機。
【請求項１５】
モバイルユニットに含まれる請求項１１記載のテレビジョン信号受信機。
【発明の詳細な説明】
【技術分野】
【０００１】
本発明は、概して、緊急事態警報機能を、例えば、自動車、飛行機、携帯機器及び／又はその他の移動性構造体のようなモバイルユニットに提供する装置及び方法に関する。
【背景技術】
【０００２】
例えば、悪天候、自然災害、火事、市民緊急事態、軍事行動、有毒化学物質の流出、放射能漏れ、又は他のこのような状態のような緊急事態イベントは、準備ができていない者に計り知れない影響を与えうる。気象関連の緊急事態に関しては、例えば、国立測候所（ＮＷＳ；National  Weather  Service）及び国立海洋大気庁（ＮＯＡＡ；National  Oceanographic  and  Atmospheric  Administration）は、一般に、一般市民よりも前に悪天候状態を検出することができる。例えば、ドップラーレーダ及び気象衛星のような最新の天候検出装置の使用により、ＮＷＳ及びＮＯＡＡは、悪天候の警告を早期に出すことができる。これにより、多くの命が救われてきた。しかし、このような警告が有効であるために、それらの警告は、それらが対象とする受信者へ伝えられなければならない。
【０００３】
幾つかの地域では、差し迫った危険性の近くにいる者に注意を喚起すべく、サイレンが使用される。しかし、このようなサイレンは、特に、例えば、自動車、飛行機、又はその他の移動性構造体のようなモバイルユニットで移動中の者によっては、必ずしも聞こえるわけではない。さらに、このようなサイレンは、危険の内容又はどのような行動をとるべきかに関する如何なる情報も提供しない。幾つかの地域では、電話による警報が、このような情報を加入者に提供するために備えられうる。しかし、このような情報は、一般的に、電話が登録されている特定の地理的地域に制限される。従って、このようなシステムは、移動中の者に警報を出すように設計されていない。
【発明の開示】
【発明が解決しようとする課題】
【０００４】
従って、上述の問題を解消する緊急事態警報機能を提供し、それによって、移動中の者に緊急事態イベントに関して警報を出すことが可能な装置及び方法が必要とされる。本願は、これらの及び／又は他の課題を扱う。
【課題を解決するための手段】
【０００５】
本発明の態様に従って、緊急事態警報機能を提供する装置が開示される。実施例に従って、当該装置は、（ｉ）第１の場所情報を第２の場所情報に関連付ける場所データと、（ｉｉ）ユーザによって選択された少なくとも１つのイベント種類とを含むデータを記憶するメモリ手段を有する。処理手段は、前記場所データにより現在の場所を決定し且つ緊急事態イベントを示す信号を処理する。前記処理手段は、前記緊急事態イベントが前記現在の場所及び前記ユーザによって選択された少なくとも１つのイベント種類に対応する場合に、警報出力を有効にする。
【０００６】
本発明の他の態様に従って、緊急事態警報機能を装置に提供する方法が開示される。実施例に従って、当該方法は、（ｉ）第１の場所情報を第２の場所情報に関連付ける場所データと、（ｉｉ）ユーザによって選択された少なくとも１つのイベント種類とを含むデータをメモリに記憶する段階と、前記場所データにより現在の場所を決定する段階と、緊急事態イベントを示す信号を処理する段階と、前記緊急事態イベントが前記現在の場所及び前記ユーザによって選択された少なくとも１つのイベント種類に対応する場合に、警報出力を有効にする段階とを有する。
【０００７】
本発明の他の態様に従って、緊急事態警報機能を備えるテレビジョン信号受信機が開示される。実施例に従って、当該テレビジョン信号受信機は、（ｉ）第１の場所情報を第２の場所情報を関連付ける場所データと、（ｉｉ）ユーザによって選択された少なくとも１つのイベント種類とを含むデータを記憶するよう動作するメモリを有する。処理装置は、前記メモリへ結合され、前記場所データにより現在の場所を決定し且つ緊急事態イベントを示す信号を処理するよう動作する。前記処理装置は、前記緊急事態イベントが前記現在の場所及び前記ユーザによって選択された少なくとも１つのイベント種類に対応する場合に、警報出力を有効にする。
【０００８】
添付の図面に関連して採られた本発明の実施例に関する以下の記載を参照することによって、本発明の上記及び他の特徴及び効果並びにそれらを達成する方法は更に明らかとなるとともに、本発明はより良く理解されるであろう。
【発明を実施するための最良の形態】
【０００９】
ここに提示される例は本発明の好ましい実施形態を表し、このような例は、如何なる方法によっても本発明の適用範囲を限定するよう解釈されるべきではない。
【００１０】
図面、より具体的には図１を参照して、本発明を実施するのに適した例となる環境１００が示されている。図１の環境１００は、複数の信号送信機１０と、複数の衛星１５と、緊急事態警報機能を夫々備えた複数の装置２０とを有する。実施例に従って、装置２０は、例えば、自動車、飛行機及び／又はその他の移動性構造体のようなモバイルユニット内に含まれても良い。なお、例示及び説明のために、このようなモバイルユニットは、自動車（すなわち、１，２，３．．．Ｎ（Ｎはいずれかの正の整数である。）。）として示されており、夫々の自動車は、いつでも、異なる地理的場所に存在しうる。装置２０は、また、携帯機器として具現されても良い。
【００１１】
信号送信機１０は、夫々、装置２０によって受信され得る緊急事態警報信号を含む信号を送信するよう動作する。夫々の信号送信機１０は、このような信号を有限な数の地理的場所にしか送信することができない。従って、各装置２０は、１又はそれ以上の所与の信号送信機１０からしか緊急事態警報信号を受信することができない。実施例に従って、信号送信機１０からの緊急事態警報信号の送信は、例えばＮＷＳのような当局、及び／又は例えば政府事業体のような当局から提供され得る。信号送信機１０は、当局によって提供されるような自身の元の形式で緊急事態警報信号を送信しても、あるいは、緊急事態警報信号を表すデジタルデータを他のデータに付加しても、あるいは、緊急事態警報信号をその特定の送信形式ニーズに適した方法で変更しても良い。緊急事態警報信号に応答して、各装置２０は、１又はそれ以上の警報出力を提供し、それによって緊急事態イベントを個人に通知することができる。信号送信機１０は、いずれかの有線及び／又は無線リンクを介して装置２０へ信号を送信することができる。
【００１２】
衛星１５は、夫々、装置によって受信され得るＧＰＳ（Global  Positioning  Satellite）信号を送信するよう動作する。実施例に従って、夫々の衛星１５は、その場所及び現在の時間を示すＧＰＳ信号を定期的に送信する。衛星１５は、それらが全てこのようなＧＰＳ信号をほぼ同時に送信するように同期する。ＧＰＳ信号は光の速度で進むが、幾つかの衛星１５が他からより遠いために、わずかに異なった時点に所与の装置２０に到達する。各装置２０は、ＧＰＳ信号を受信するのに要する時間の量を推定することによって、衛星１５までの夫々の距離を決定することができる。実施例に従って、各装置２０が少なくとも３個の衛星１５までの距離を決定すると、それは、自身の場所を３次元で示す場所座標を計算することができる。
【００１３】
装置２０は、夫々、緊急事態警報機能を提供するよう動作可能であり、例えば、テレビジョン信号受信機、ラジオ、及び／又は他の装置のような如何なる種類の電子機器として具現されても良い。緊急事態警報機能は、とりわけ、装置２０が緊急事態警報信号を受信して、個人に緊急事態イベントを通知すべく１又はそれ以上の警報出力を提供することを可能にする。本発明に従って、各装置２０は、受信したＧＰＳ信号を用いて、自身の現在の場所を示す３次元場所座標を生成する。装置２０は、その３次元場所座標を、現在の場所を示す対応する場所コードに関連付ける。次いで、装置２０は、受信した緊急事態警報信号が、現在の場所及びユーザによって選択されたイベント種類を示す場合に１又はそれ以上の警報出力を有効にすることによって、緊急事態警報機能を提供する。以下、装置２０に関する更なる詳細を提示する。
【００１４】
図２を参照して、本発明の実施例に従う図１の装置２０のブロック図が示されている。図２の装置２０は、例えばアンテナ２２のような第１のアンテナ手段と、例えばＧＰＳ受信器４のような第１の信号受信手段と、例えばデコーダ２６のような第１の復号化手段と、例えばアンテナ２８のような第２のアンテナ手段と、例えば緊急事態警報受信器３０のような第２の信号受信手段と、例えばデコーダ３２のような第２の復号化手段と、例えば処理装置及びメモリ３４のような処理手段及びメモリ手段と、例えばディスプレイ３６のような視覚出力手段と、例えばスピーカ３８のような音声出力手段とを有する。これらの要素の幾つかは、例えば、集積回路（ＩＣ）により具現され得る。記載を明りょうにするため、例えば、特定の制御信号、電力信号及び／又は他の要素のような、装置２０に関する特定の従来の要素は、図２には示されていない。
【００１５】
アンテナ２２は、衛星１５から送信されるＧＰＳ信号を含む信号を受信するよう動作可能である。実施例に従って、各ＧＰＳ信号は、それが送信された時間及びそれが送信された特定の衛星１５の場所を示すデジタル符号化情報を含む。ここで上述されたように、衛星１５は、それらが全てこのようなＧＰＳ信号をほぼ同時に送信するように同期する。ＧＰＳ信号は光の速度で進むが、幾つかの衛星１５が他からより遠いために、わずかに異なった時点にアンテナ２２によって受信される。
【００１６】
ＧＰＳ受信器２４は、同調し、アンテナ２２によって受信されたＧＰＳ信号を含む信号を処理するよう動作可能である。実施例に従って、ＧＰＳ受信器２４は、１又はそれ以上の所定のチャネル周波数を合わせ、それによってＧＰＳ信号を受信する。
【００１７】
デコーダ２６は、ＧＰＳ受信器２４によって同調されたＧＰＳ信号を含む信号を復号するよう動作可能である。実施例に従って、デコーダ２６は、送信された時間及び送信された特定の衛星１５の場所を示す各ＧＰＳ信号からデジタル符号化情報を取り出す。デコーダ２６は、このデジタルデータを処理装置３４へ供給する。
【００１８】
アンテナ２８は、１又はそれ以上の送信機１０から送信される緊急事態警報信号を含む信号を受信するよう動作可能である。実施例に従って、緊急事態警報信号は、受信される音声信号内で、デジタルで符号化され得る。他の実施例に従って、緊急事態警報信号は、デジタル送信システムにおいて別個のデータパケットとして受信され得る。図２は、２つの別個のアンテナ、すなわち、アンテナ２２及び２８を有するよう、装置２０を示すが、単一のアンテナしか用いずに装置２０を実施することも可能である。
【００１９】
緊急事態警報受信器３０は、同調し、アンテナ２８によって受信される緊急事態警報信号を含む信号を処理するよう動作可能である。実施例に従って、緊急事態警報受信器３０は、少なくとも以下に示されるＮＷＳ周波数：１６２．４００ＭＨｚ、１６２．４２５ＭＨｚ、１６２．４５０ＭＨｚ、１６２．４７５ＭＨｚ、１６２．５００ＭＨｚ、１６２．５２５ＭＨｚ及び１６２．５５０ＭＨｚに対応するチャネルに合わせることができる。このようなチャネルは、デジタルで符号化された緊急事態警報信号を含む音声信号を提供することができる。緊急事態警報受信器３０は、また、地上、ケーブル、衛星及び／又は他の伝送で用いられるものを含む他のチャネルに合わせることもできる。
【００２０】
デコーダ３２は、緊急事態警報受信器３０によって同調された緊急事態警報信号を含む信号を復号する。実施例に従って、デコーダ３２は、緊急事態イベントに関するデジタル符号化データを緊急事態警報信号から取り出し、このデジタルデータを処理装置３４へ供給する。デコーダ３２は、また、例えば、アナログテレビジョン信号の垂直帰線区間（ＶＢＩ；Vertical  Blanking  Interval）に含まれる緊急事態警報信号を表すデータの復号といった、他の復号化機能を実行することもできる。
【００２１】
実施例に従って、デコーダ３２によって取り出されたデジタル符号化データは、緊急事態イベントに関連する特定地域メッセージ符号化（ＳＡＭＥ；Specific  Area  Message  Encoding）データを表す。このＳＡＭＥデータは、例えば、緊急事態イベントによって影響を及ぼされる特定の地理的場所、緊急事態イベントの種類（例えば、竜巻注意報、放射線障害警報、市民緊急事態など。）、及びイベント警報の終了といった情報を表す。ＳＡＭＥデータは、緊急事態警報の特定性を改善し且つ誤警報の頻度を低下させるためにＮＷＳ及び他の当局によって使用される。他のデータ及び情報は、また、本発明に従って緊急事態警報信号に含まれ得る。
【００２２】
処理装置及びメモリ３４は、装置の緊急事態警報機能を有効にする様々な処理及びデータ記憶機能を実行するよう動作可能である。実施例に従って、処理装置３４は、デコーダ２６から供給されるデジタルデータに応答して、装置２０の現在の場所を示す３次元場所座標を生成するよう動作可能である。ここで上述されたように、このようなデジタルデータは、衛星１５から供給される時間及び場所の情報を表す。具体的に、各衛星１５は、その場所及び現在の時間を示すＧＰＳ信号を定期的に送信する。衛星１５は、それらが全てこのようなＧＰＳ信号をほぼ同時に送信するように同期する。ＧＰＳ信号は光の速度で進むが、幾つかの衛星１５が他からより遠いために、わずかに異なった時点に装置２０によって受信される。このようにして、処理装置３４は、デコーダ２６から供給されたデジタルデータを用いて、装置２０から夫々の衛星１５までの距離を決定することができる。実施例に従って、処理装置３４が少なくとも３個の衛星１５までの距離を決定すると、処理装置３４は、当該技術において一般的に知られている“三角測量”の処理を用いて、装置２０に関して３次元場所座標を計算することができる。装置２０に関して３次元場所座標を決定する他の技術もまた使用され得る。
【００２３】
処理装置３４が装置２０に関して３次元場所座標を生成すると、処理装置３４は、この場所座標を、メモリ３４に記憶されたデータを用いて、場所コードへ関連付ける。実施例に従って、メモリ３４は、処理装置３４へ動的に結合され、３次元場所座標（度、分、秒など。）の形をとる第１の場所情報を場所コードの形をとる第２の場所情報へ関連付ける場所データ（例えば、ルックアップテーブル。）を含むデータを記憶する。この実施例に従って、これらの場所コードは連邦情報処理規格（ＦＩＰＳ；Federal  Information  Processing  Standard）場所コードであるが、他の種類の場所コードも使用され得る。メモリ３４に記憶された場所データは、定期的に更新され得る。処理装置３４は、メモリ３４内の場所データを用いて、装置２０の現在の場所を表す３次元場所座標に対応するＦＩＰＳコードを特定する。特定されたＦＩＰＳコードは、メモリ３４（例えば、所定のメモリレジスタ。）に記憶され、装置２０の緊急事態警報機能を制御するために使用される。
【００２４】
処理装置３４は、また、デコーダ３２から緊急事態イベントに関するデジタルデータ（例えば、ＳＡＭＥデータ。）を受信して、このデジタルデータを用いて、装置２０の緊急事態警報機能を作動させるかどうかを決定するよう動作可能である。実施例に従って、処理装置３４は、デコーダ３２から供給されるデジタルＳＡＭＥデータを、装置２０の現在の場所を示す上述のＦＩＰＳコード及びメモリ３４に記憶されたユーザ設定データと比較して、緊急事態警報機能を作動させるかどうかを決定する。ここで上述されたように、装置２０の緊急事態警報機能のセットアップ処理は、ユーザが、例えば、緊急事態警報機能を作動させる緊急事態イベントの種類（例えば、竜巻注意報、放射線障害注意報、市民緊急事態など。）のような事項を選択することを可能にする。装置２０の緊急事態警報機能が作動する場合に、処理装置３４は、１又はそれ以上の（例えば、聴覚及び／又は視覚）警報出力を有効にし、それによって、個人に緊急事態イベントを通知する。本発明の上述の態様に関する更なる詳細については以降で記載する。
【００２５】
ディスプレイ３６は、処理装置３４から供給される信号に応答して視覚表示を提供するよう動作可能である。実施例に従って、ディスプレイ３６は、緊急事態イベントに関する詳細を提供するメッセージを含む視覚（例えば、映像及び／又は静止画）表示を提供することができる。ディスプレイ３６は、如何なる種類の表示装置として具現されても良く、また、例えば、発光ダイオード（ＬＥＤ）、液晶ディスプレイ（ＬＣＤ）素子、液晶クオートディスプレイ（ＬＱＤ）素子、及び／又は他の素子のような、１又はそれ以上のインジケータ素子を有しても良い。
【００２６】
スピーカ３８は、処理装置３４から供給される信号に応答して聴覚出力を提供するよう動作可能である。実施例に従って、スピーカ３８は、緊急事態イベントに関する詳細を提供する聴覚出力を提供することができる。図２には明示されていないが、スピーカ３８は、その聴覚出力を増幅する音声増幅器を有しても良い。
【００２７】
ここで図３を参照して、本発明の実施例に従う緊急事態警報機能を提供する段階を表すフローチャート３００が示されている。例示及び説明のために、図３の段階は、図２の装置２０を参照して記載される。図３の段階は、単なる例示であって、如何なる方法によっても本発明を限定するよう意図されない。
【００２８】
段階３１０で、装置２０の緊急事態警報機能のセットアップ処理が実行される。実施例に従って、ユーザは、ディスプレイ３６を介して表示されたオンスクリーンのメニューに応答して、（例えば、図示されないリモートコントロール装置、キーパッド又は他の入力装置を用いて）装置２０へ入力を与えることによって、このセットアップ処理を実行する。実施例に従って、ユーザは、段階３１０でのセットアップ処理の間、少なくとも以下の項目を選択することができる。
【００２９】
Ａ．有効／無効：ユーザは、緊急事態警報機能を有効又は無効にすべきかどうかを選択することができる。
【００３０】
Ｂ．追加の地理的場所：ユーザは、装置２０が現在位置する場所に加えて、地理的場所で起こる選択した緊急事態イベントに関して通知が欲しいか否かを選択することができる。例えば、ユーザは、最大で“Ｘ”個の直ぐ周囲の地理的場所での選択した緊急事態イベントに関して通知されるよう選択することができる。実施例に従って、地理的場所は、例えばＦＩＰＳコードのような場所コードによって表される。
【００３１】
Ｃ．イベント種類：ユーザは、緊急事態警報機能を作動させる緊急事態イベントの１又はそれ以上の種類を選択することができる。例えば、ユーザは、例えば市民緊急事態、放射線障害警報、及び／又は竜巻警報のようなイベントが緊急事態警報機能を作動させるが、例えば雷雨注意報のようなイベントは作動させない等を指定することができる。本発明に従って、異なった重大度又は警報レベル（例えば、声明、注意報、警報など。）は、異なった“イベント”を表しうる。例えば、雷雨注意報は、雷雨警報とは異なるイベントと考えることができる。
【００３２】
Ｄ．警報出力：ユーザは、緊急事態警報機能が作動する場合に提供されるべき１又はそれ以上の警報出力を選択することができる。実施例に従って、ユーザは、緊急事態警報機能を作動させる緊急事態イベントの種類ごとに提供されるべき視覚的及び／又は聴覚的出力を選択することができる。例えば、ユーザは、視覚メッセージ（例えば、ＮＷＳ文字メッセージ。）を表示させるよう選択することができる。ユーザは、また、警戒音（例えば、チャイム、サイレンなど。）及び／又は音声メッセージ（例えば、ＮＷＳ音声メッセージ。）を音声で出力するよう選択するとともに、夫々の所望の音量を選択することができる。他の種類の警報出力は、また、本発明に従って提供され得る。
【００３３】
本発明に従って、他のメニュー選択も段階３１０で提供され得、且つ／あるいは、上述されたメニュー選択の幾つかは省略され得る。段階３１０のセットアップ処理の間のユーザの選択に対応するデータは、メモリ３４に記憶される。
【００３４】
段階３２０で、装置２０はＧＰＳ信号を受信する。実施例に従って、装置２０は、アンテナ２２及びＧＰＳ受信器２４を介して、段階３２０で、少なくとも３個の衛星１５からＧＰＳ信号を受信する。デコーダ２６は、ＧＰＳ信号を復号し、それによって、デジタル符号化データを、送信された時間及び送信された特定の衛星１５の場所を示す各ＧＰＳ信号から取り出す。デコーダ２６は、このデジタルデータを処理装置３４へ供給する。
【００３５】
段階３３０で、装置２０は、段階３２０で受信したＧＰＳ信号に応答して場所座標を生成する。実施例に従って、処理装置３４は、段階３３０で、デコーダ２６から供給されるデジタルデータに応答して、装置２０の現在の場所を示す３次元場所座標（例えば、度、分、秒など。）を生成する。ここで上述されたように、このようなデジタルデータは、衛星１５から供給される時間及び場所の情報を表す。具体的に、各衛星１５は、その場所及び現在の時間を示すＧＰＳ信号を定期的に送信する。衛星１５は、それらが全てこのようなＧＰＳ信号をほぼ同時に送信するように同期する。ＧＰＳ信号は光の速度で進むが、幾つかの衛星１５が他からより遠いために、わずかに異なった時点に装置２０によって受信される。このように、処理装置３４は、デコーダ２６から供給されたデジタルデータを用いて、装置２０から夫々の衛星１５までの距離を決定することができる。実施例に従って、処理装置３４が少なくとも３個の衛星１５までの距離を決定すると、処理装置３４は、当該技術において一般的に知られる“三角測量”の処理を用いて、段階３３０で、装置２０に関して３次元場所座標を計算することができる。装置２０に関して３次元場所座標を決定する他の技術も段階３３０で使用され得る。また、場所座標は、３次元の代わりに、たった２次元で生成されても良い。
【００３６】
段階３４０で、装置２０は、段階３３０で生成した場所座標を場所コードに関連付ける。実施例に従って、処理装置３４は、メモリ３４内のあるデータにアクセスし、段階３３０で生成された３次元場所座標に対応するＦＩＰＳコードを特定する。ここで上述されたように、メモリ３４は、３次元場所座標（例えば、度、分、秒など。）の形をとる第１の場所情報を場所コードの形をとる第２の場所情報へ関連付ける（例えば、ルックアップテーブルとしての）場所データを含むデータを記憶する。この実施例に従って、これらの場所コードはＦＩＰＳコードであるが、他の種類の場所コードが使用されても良い。処理装置３４は、メモリ３４内の場所データを用いて、段階３４０で、装置２０の現在の場所を表す３次元場所座標に対応するＦＩＰＳコードを特定する。特定されたＦＩＰＳコードは、メモリ３４（例えば、所定のメモリレジスタ。）に記憶され、装置２０の緊急事態警報機能を制御するために使用される。装置２０が一の地理的場所から他へ移動して、更新されたＧＰＳ信号を受信するので、当然、このＦＩＰＳコードは更新され得る。
【００３７】
段階３５０で、装置２０は、その緊急事態警報機能のために１又はそれ以上のチャネルを監視する。実施例に従って、緊急事態警報受信器３０は、例えばＮＷＳ周波数（例えば、１６２．４００ＭＨｚ、１６２．４２５ＭＨｚ、１６２．４５０ＭＨｚ、１６２．４７５ＭＨｚ、１６２．５００ＭＨｚ、１６２．５２５ＭＨｚ及び１６２．５５０ＭＨｚ。）のうちの１つのような特定のチャネルに同調しても、あるいは、複数のこのようなチャネルを走査して、入来する緊急事態警報信号を受信しても良い。
【００３８】
段階３６０で、装置２０の緊急事態警報機能が作動すべきかどうかが決定される。実施例に従って、処理装置３４は、入来する緊急事態警報信号に含まれるデータをメモリ３４に記憶されるデータと比較することによって、この決定を行う。ここで上述されたように、緊急事態警報信号は、緊急事態イベントの種類（例えば、竜巻注意報、放射線障害警報、市民緊急事態など。）と、緊急事態イベントによって影響を及ぼされる特定の地理的場所とを含む情報を表すデジタル符号化されたＳＡＭＥデータを含みうる。実施例に従って、処理装置３４は、このＳＡＭＥデータを、緊急事態警報機能を作動させる緊急事態イベントの選択された種類（すなわち、段階３１０の項目Ｃ。）及び装置２０の現在の場所を示すＦＩＰＳコード（及び、段階３１０の項目Ｂの下で選択される場合に、直ぐ周囲の地理的場所を表すＦＩＰＳコード）を示すユーザ設定データと比較する。このように、装置２０の緊急事態警報機能は、緊急事態警報信号によって示される緊急事態イベントが（１）段階３１０の項目Ｃの下でユーザによって選択されたいずれかのイベント種類、並びに（２）装置２０の現在の地理的場所及び／又は、段階３１０の項目Ｂの下で選択される場合に、いずれかの直ぐ周囲の地理的場所に対応する場合に作動する。
【００３９】
段階３６０での決定が否定である場合には、処理フローは段階３２０に戻り、装置２０はＧＰＳ信号を受信する。代替的に、段階３６０での決定が肯定である場合には、処理フローは段階３７０に進み、装置２０は１又はそれ以上の警報出力を提供して、緊急事態イベントを個人に通知する。
【００４０】
実施例に従って、処理装置３４は、段階３１０のセットアップ処理の間のユーザの選択（すなわち、項目Ｄ。）に従って１又はそれ以上の警報出力を有効にし、このような警報出力は、事実上、聴覚的且つ／あるいは視覚的でありうる。例えば、例えば警告音及び／又はＮＷＳ音声メッセージのような聴覚出力は、段階３７０で、スピーカ３８を介して提供され得、このような聴覚出力の音量は、段階３１０のセットアップ処理の間にユーザによって設定される音量レベルに従って制御され得る。視覚出力も、段階３７０で、緊急事態イベントを個人に通知すべくディスプレイ３６を介して提供され得る。実施例に従って、例えばＮＷＳ文字メッセージのような補助情報表示が、段階３７０で、処理装置３４の制御下でディスプレイ３６を介して提供されても良い。ここで明示された以外の他の種類の聴覚的及び／又は視覚的警報出力が、また、本発明に従って提供され得る。段階３７０から、処理フローは、図３に示されるように、段階３２０へ戻る。
【００４１】
図３の上述の段階は、ユーザが移動中に緊急事態イベントに関する情報を受け取ることを可能にする。一例として、０１８０１１のＦＩＰＳコードを有する国“Ｃ”において目下自動車を運転中であるユーザを考える。さらに、ユーザは、直ぐ周囲の地理的場所で起こる選択した緊急事態イベントに関しては通知されないよう選択しているとする（段階３１０の項目Ｂを参照。）。国“Ｃ”で運転中に、ユーザは、国“Ｃ”に影響を及ぼす選択した緊急事態イベントに関する情報を受け取ることができる。ユーザが他の国（すなわち、０１８０９７のＦＩＰＳコードを有する国“Ａ”。）に入ると、受信されるＧＰＳ信号はこの変化を示し、記憶されているＦＩＰＳコードは０１８０９７へ変更される。結果として、ユーザは、国“Ａ”に影響を及ぼす選択した緊急事態イベントに関する情報を受け取ることができるが、もはや、国“Ｃ”に影響を及ぼす緊急事態イベントに関する情報は受け取ることはない。最終的に、ユーザが更なる他の国（すなわち、０１８１４５のＦＩＰＳコードを有する国“Ｆ”。）に入ると、受信されるＧＰＳ信号はこの変化を示し、記憶されているＦＩＰＳコードは０１８１４５へ変更される。結果として、ユーザは、国“Ｆ”に影響を及ぼす選択した緊急事態イベントに関する情報を受け取ることができるが、もはや、国“Ａ”に影響を及ぼす選択した緊急事態イベントに関する情報を受け取ることはない。
【００４２】
ここで記載されるように、本発明は、緊急事態警報機能を、例えば、自動車、飛行機、携帯機器及び／又はその他の移動性構造体のようなモバイルユニットに提供する装置及び方法を提供する。本発明は好ましい設計を有するよう記載されてきたが、本発明は、さらに、本開示の適用範囲及び精神の範囲内で変更され得る。従って、本願は、その一般原理を用いて、本発明の如何なる変形例、使用、又は用途にも及ぶよう意図される。さらに、本願は、本発明が属し且つ添付の特許請求の範囲の技術的範囲内にある技術における既知又は通例の実施の範囲内にあるよう、本開示からのこのような逸脱に及ぶよう意図される。
【図面の簡単な説明】
【００４３】
【図１】本発明を実施するのに適した環境の例である。
【図２】本発明の実施例に従う緊急事態警報機能を備える装置のブロック図である。
【図３】本発明の実施例に従う緊急事態警報機能を提供する段階を表すフローチャートである。
【図１】
2009529181.tif 000003
【図２】
2009529181.tif 000004
【図３】
2009529181.tif 000005
【国際調査報告】
2009529181.tif 000006
2009529181.tif 000007